(57)【特許請求の範囲】
【請求項１】
木材で形成された棒状のブロック単体を複数列設して形成され法面に付設されて法面を覆う法面用木製ブロックにおいて、
上記各ブロック単体にその軸線に直交し該各ブロック単体の列設方向に中心線を有する複数の通孔を間隔を隔てて形成し、該通孔にボルトを挿通しかつ該ボルトにナットをねじ込んで締めつけることにより各ブロック単体同士を連結するとともに、該各ブロック単体の一端部側の上記通孔の外側であって隣接するブロック単体間にスぺーサを介装して、一端部側の幅を他端部側の幅に比較して大きくし、
上記ブロック単体の背面の中央に、該ブロック単体の軸線に沿う方向の背割を形成し、
上記背割の底部を、上記通孔の略中心線の位置に設定したことを特徴とする法面用木製ブロック。
【請求項２】
上記背割の幅Ｄを、１ｍｍ≦Ｄ≦７ｍｍにしたことを特徴とする請求項１記載の法面用木製ブロック。
【請求項３】
上記背割の幅Ｄを、３ｍｍ≦Ｄ≦５ｍｍにしたことを特徴とする請求項２記載の法面用木製ブロック。
【請求項４】
上記各ブロック単体の背面及び両側面を平面状に形成し、正面を横断面弧状に形成したことを特徴とする請求項１，２または３いずれかに記載の法面用木製ブロック。
【請求項５】
上記両側のブロック単体に、上記通孔に連続し上記ボルトのボルト頭もしくはナットが没入する座ぐり穴を設けたことを特徴とする請求項１，２，３または４いずれかに記載の法面用木製ブロック。
【請求項６】
上記各ブロック単体を間伐材で形成したことを特徴とする請求項１，２，３，４または５いずれかに記載の法面用木製ブロック。
【発明の詳細な説明】
【０００１】
【発明の属する技術分野】
本発明は、道路や河川等に沿う法面を保護するために法面に付設されてこれを覆う法面用木製ブロックに関する。
【０００２】
【従来の技術】
従来、図６に示すように、この種の法面用木製ブロックＢａとしては、シートに木材で形成された棒状のブロック単体を複数列設して固定して形成されたものがあり、法面Ｎに沿って付設される。
【０００３】
【発明が解決しようとする課題】
ところで、このような従来の法面用木製ブロックＢａにあっては、シートが撓むので、法面Ｎに沿わせ易いという利点はあるが、図７に示すように、道路等がカーブしている部位において、法面Ｎの下縁が凹に湾曲し（図７（ａ））、あるいは凸に湾曲していると（図７（ｂ））、法面Ｎが謂わば扇形になるので、上側の幅寸法と下側の幅寸法が異なってしまい、どうしても、法面用木製ブロックＢａ間に隙間Ｓが生じてしまうという問題があった。
そのため、この隙間Ｓを埋めるために、別異に木材を嵌め込む等しなければならないので、付設作業が煩雑になっているという問題があった。
【０００４】
本発明は、上記従来の問題点に鑑みてなされたもので、法面が扇形になっていても、隙間なく連設して付設できるようにして、付設作業効率の向上を図った法面用木製ブロックを提供することを目的とする。
【０００５】
【課題を解決するための手段】
このような課題を解決するための本発明の法面用木製ブロックは、木材で形成された棒状のブロック単体を複数列設して形成され法面に付設されて法面を覆う法面用木製ブロックにおいて、上記各ブロック単体にその軸線に直交し該各ブロック単体の列設方向に中心線を有する複数の通孔を間隔を隔てて形成し、該通孔にボルトを挿通しかつ該ボルトにナットをねじ込んで締めつけることにより各ブロック単体同士を連結するとともに、該各ブロック単体の一端部側の上記通孔の外側であって隣接するブロック単体間にスぺーサを介装して、一端部側の幅を他端部側の幅に比較して大きくした構成としている。
【０００６】
これにより、この法面用木製ブロックを法面に付設するときは、法面の下縁に法面用木製ブロックの一端縁を沿わせて連設する。この付設の際、もし道路等がカーブしている部位において、法面の下縁が凹に湾曲し、あるいは凸に湾曲していて、法面が謂わば扇形になっている場合には、法面用木製ブロックの一端部側のボルト及びナットを緩め、各ブロック単体の一端部側であって隣接するブロック単体間にスぺーサを介装し、それから、ボルト及びナットを締めつけ、法面の上側の幅寸法と下側の幅寸法のいずれか大きい方に合わせて、法面用木製ブロックの一端部の幅寸法を変える。
【０００７】
それから、扇形になっている法面に、法面用木製ブロックを付設する。この場合、扇形の法面の上側の幅寸法と下側の幅寸法のいずれか大きい方に合わせて、法面用木製ブロックの一端部の幅寸法が変えられているので、隣接する法面用木製ブロック間に隙間が生じてしまう事態が防止され、そのため、従来のように、隙間を埋めるために、別異に木材を嵌め込む等の作業が不要になり、それだけ、付設作業が容易になり、付設作業効率が向上させられる。
また、付設された状態では、法面用木製ブロック間に隙間がないので、それだけ外観品質が向上させられる。
【０００８】
そして、上記ブロック単体の背面の中央に、該ブロック単体の軸線に沿う方向の背割を形成した構成としている。ブロック単体が幅方向に弾性を有することになり、そのため、スぺーサの押えが弾性によるので確実になる。また、ボルト及びナットの締めつけ力を適宜調整することにより、法面用木製ブロックの全体の幅の微調整が可能になる。
【０００９】
また、上記背割の底部を、上記通孔の略中心線の位置に設定した構成としている。背割の底部は、通孔の略中心線の位置に設定されているので、ボルト及びナットの締めつけ力が背割のない部位にも及ぶことから、締めつけたときに背割が完全に閉じ切ることがなく、そのため、弾性を確保してスぺーサの押えを確実にすることができる。背割の底部の位置が通孔の中心線の位置を越えると、背割が完全に閉じ切ることがあり好ましくない。一方、通孔の中心線の位置に至らないと、ボルト及びナットの締めつけでも閉じる方向に撓まないことがあり、弾性を付与しにくくなる。
【００１０】
更に、必要に応じ、上記背割の幅Ｄを、１ｍｍ≦Ｄ≦７ｍｍにしている。望ましくは、上記背割の幅Ｄを、３ｍｍ≦Ｄ≦５ｍｍにしている。さほど幅Ｄが大きいものではないことから、ブロック単体の強度を損なう事態を防止することができる。
更にまた、必要に応じ、上記各ブロック単体の背面及び両側面を平面状に形成し、正面を横断面弧状に形成した構成としている。法面用木製ブロックを付設した際に、各ブロック単体の正面が横断面弧状に形成されているので、丸太が整然と羅列されたように見え、そのため、外観が極めて良いものになる。
【００１１】
また、必要に応じ、上記両側のブロック単体に、上記通孔に連続し上記ボルトのボルト頭もしくはナットが没入する座ぐり穴を設けた構成としている。法面用木製ブロックを連設した際、左右に出っ張るものがないので、法面用木製ブロックを確実に連設することができる。
更に、上記各ブロック単体を間伐材で形成した構成としている。間伐材の有効利用を図ることができる。
【００１２】
【発明の実施の形態】
以下、添付図面に基づいて本発明の実施の形態に係る法面用木製ブロックについて説明する。
図１乃至図４に示すように、本発明の実施の形態に係る法面用木製ブロックＢは、木材で形成された棒状のブロック単体１０を複数（実施の形態では５本）列設して形成され法面Ｎに付設されて法面Ｎを覆うものである。
各ブロック単体１０としては、間伐材が用いられ、その背面１１及び両側面１２が平面状に形成され、正面１３が横断面弧状に形成されている。各ブロック単体１０は、側面１２を対面させて列設されている。寸法は、例えば、図３に示すように、幅ａが、ａ＝１０ｍｍ，高さｂが、ｂ＝１０ｍｍ，図４（ａ）に示すように、長さＬが、Ｌ＝１５００〜３０００ｍｍに設定されている。
【００１３】
各ブロック単体１０には、その軸線に直交し各ブロック単体１０の列設方向に（両側面１２間に亘る）中心線Ｐを有する複数の通孔１４が間隔を隔てて形成されている。実施の形態では、通孔１４は等間隔で３つ設けられている。
そして、各ブロック単体１０同士は、通孔１４にボルト１５を挿通し、このボルト１５にナット１６をねじ込んで締めつけることにより連結されるとともに、各ブロック単体１０の一端部側の通孔１４の外側であって隣接するブロック単体１０間に、スぺーサ２０が介装可能に連結される。
スぺーサ２０は、木材のチップで形成され、厚さは適宜に設定されている。そして、このスぺーサ２０を介装することにより、法面用木製ブロックＢの一端部側の幅を他端部側の幅に比較して大きくできるようにしている。
【００１４】
また、法面用木製ブロックＢにおいて、両側のブロック単体１０には、その通孔１４に連続しボルト１５のボルト頭もしくはナット１６が没入する座ぐり穴１７が設けられている。法面用木製ブロックＢを連設した際、左右に出っ張るものがないので、法面用木製ブロックＢを確実に連設することができる。
【００１５】
更に、各ブロック単体１０の背面１１の中央には、ブロック単体１０の軸線に沿う方向の背割２１が形成されている。
背割２１の底部は、通孔１４の中心線Ｐの位置に位置するように設定されている。
背割２１の幅Ｄは、１ｍｍ≦Ｄ≦７ｍｍに設定されている。望ましくは、背割２１の幅Ｄは、３ｍｍ≦Ｄ≦５ｍｍである。
更にまた、法面用木製ブロックＢにおいて、中央のブロック単体１０には、正面１３から背面１１に亘ってアンカピン３０が挿通される一対の挿通孔３１が形成されている。
【００１６】
従って、この法面用木製ブロックＢを法面Ｎに付設するときは、図４（ａ）（ｂ）に示すように、法面Ｎの下縁に法面用木製ブロックＢの一端縁を沿わせて連設する。この場合、ブロック単体１０の背面１１を法面Ｎに接合し、中央のブロック単体１０の挿通孔３１にアンカピン３０を打ち込んで固定する。３２は法面用木製ブロックＢ同士を連結するカスガイである。
【００１７】
この付設の際、もし、図５に示すように、道路等がカーブしている部位において、法面Ｎの下縁が凹に湾曲し、あるいは凸に湾曲していて（図５では凸に湾曲している場合を示す）、法面Ｎが謂わば扇形になっている場合には、法面Ｎの上側の幅寸法と下側の幅寸法のいずれか大きい方に合わせて、法面用木製ブロックＢの一端部の幅寸法を変える。
この幅寸法の変更は、図１に示すように、法面用木製ブロックＢの一端部側のボルト１５及びナット１６を緩め、各ブロック単体１０の一端部側であって隣接するブロック単体１０間にスぺーサ２０を介装し、それから、ボルト１５及びナット１６を締めつける。
【００１８】
この場合、ブロック単体１０の背面１１に背割２１が形成されているので、ブロック単体１０が幅方向に弾性を有することになり、そのため、スぺーサ２０の押えが弾性によるので確実になる。また、ボルト１５及びナット１６の締めつけ力を適宜調整することにより、法面用木製ブロックＢの全体の幅の微調整が可能になる。
また、この場合、背割２１の底部は、通孔１４の中心線Ｐの位置に設定されているので、ボルト１５及びナット１６の締めつけ力が背割２１のない部位にも及ぶことから、締めつけたときに背割２１が完全に閉じ切ることがなく、そのため、弾性を確保してスぺーサ２０の押えを確実にすることができる。
更に、背割２１の幅Ｄが、１ｍｍ≦Ｄ≦７ｍｍ、望ましくは、３ｍｍ≦Ｄ≦５ｍｍに設定されているので、さほど幅Ｄが大きいものではないことから、ブロック単体１０の強度を損なう事態が防止される。
【００１９】
このようにして、法面用木製ブロックＢの一端部の幅寸法を変えて、それから、図５に示すように、扇形になっている法面Ｎに、法面用木製ブロックＢを付設する。この場合、扇形の法面Ｎの上側の幅寸法と下側の幅寸法のいずれか大きい方に合わせて、法面用木製ブロックＢの一端部の幅寸法が変えられているので、隣接する法面用木製ブロックＢ間に隙間が生じてしまう事態が防止され、そのため、従来のように、隙間を埋めるために、別異に木材を嵌め込む等の作業が不要になり、それだけ、付設作業が容易になり、付設作業効率が向上させられる。
【００２０】
付設された状態では、法面用木製ブロックＢ間に隙間がないので、それだけ外観品質が向上させられる。また、各ブロック単体１０の正面１３が横断面弧状に形成されているので、丸太が整然と羅列されたように見え、そのため、外観が極めて良いものになる。
【００２１】
尚、上記実施の形態において、各ブロック単体１０の形状や寸法あるいは、列設する数等は上述したものに限定されるものではなく、法面Ｎの条件等に合わせて適宜変更して良いことは勿論である。
【００２２】
【発明の効果】
以上説明したように本発明の法面用木製ブロックによれば、各ブロック単体の一端部側であって隣接するブロック単体間にスぺーサを介装可能にしたので、道路等がカーブしている部位において、法面の下縁が凹に湾曲し、あるいは凸に湾曲していて、法面が扇形になっている場合には、各ブロック単体の一端部側であって隣接するブロック単体間にスぺーサを介装し、それから、ボルト及びナットを締めつけ、法面の上側の幅寸法と下側の幅寸法のいずれか大きい方に合わせて、法面用木製ブロックの一端部の幅寸法を変えて付設することができ、そのため、隣接する法面用木製ブロック間に隙間が生じてしまう事態を防止することができる。このため、従来のように、隙間を埋めるために、別異に木材を嵌め込む等の作業が不要になり、それだけ、付設作業が容易になり、付設作業効率を向上させることができる。また、付設された状態では、法面用木製ブロック間に隙間がないので、それだけ外観品質を向上させることができる。
【００２３】
そして、ブロック単体の背面にブロック単体の軸線に沿う方向の背割を形成した場合には、ブロック単体が幅方向に弾性を有することになり、そのため、スぺーサの押えを弾性によって確実にすることができる。また、ボルト及びナットの締めつけ力を適宜調整することにより、法面用木製ブロックの全体の幅の微調整を可能にすることができる。
また、背割の底部を、通孔の略中心線の位置に設定した場合には、ボルト及びナットの締めつけ力が背割のない部位にも及ぶことから、締めつけたときに背割が完全に閉じ切ることがなく、そのため、弾性を確保してスぺーサの押えを確実にすることができる。
【００２４】
更に、背割の幅Ｄを、１ｍｍ≦Ｄ≦７ｍｍ、望ましくは、３ｍｍ≦Ｄ≦５ｍｍにした場合には、さほど幅Ｄが大きいものではないことから、ブロック単体の強度を損なう事態を防止することができる。
更にまた、各ブロック単体の背面及び両側面を平面状に形成し、正面を横断面弧状に形成した場合には、法面用木製ブロックを付設した際に、各ブロック単体の正面が横断面弧状に形成されているので、丸太が整然と羅列されたように見え、そのため、外観が極めて良いものになる。
また、両側のブロック単体に、通孔に連続しボルトのボルト頭もしくはナットが没入する座ぐり穴を設けた場合には、法面用木製ブロックを連設した際、左右に出っ張るものがないので、法面用木製ブロックを確実に連設することができる。
更に、各ブロック単体を間伐材で形成した場合には、間伐材の有効利用を図ることができる。
【図面の簡単な説明】
【図１】本発明の実施の形態に係る法面用木製ブロックを示す斜視図である。
【図２】本発明の実施の形態に係る法面用木製ブロックのボルト及びナットのある部位の横断面図である。
【図３】本発明の実施の形態に係る法面用木製ブロックにおいてスぺーサを介装したときの当該部位の横断面図である。
【図４】本発明の実施の形態に係る法面用木製ブロックを法面に付設したときの状態を示す図であり、（ａ）は正面図、（ｂ）は側面断面図である。
【図５】本発明の実施の形態に係る法面用木製ブロックをスぺーサを介装して法面に付設したときの状態を示す正面図である。
【図６】従来の法面用木製ブロックを法面に付設したときの状態を示す斜視図である。
【図７】従来の法面用木製ブロックを法面に付設したときの不具合を示す図である。
【符号の説明】
Ｂ  法面用木製ブロック
Ｎ  法面
１０  ブロック単体
１１  背面
１２  側面
１３  正面
Ｐ  中心線
１４  通孔
１５  ボルト
１６  ナット
１７  座ぐり穴
２０  スぺーサ
２１  背割
３０  アンカピン
３１  挿通孔
【図１】
0004074471.tif 000002
【図２】
0004074471.tif 000003
【図３】
0004074471.tif 000004
【図４】
0004074471.tif 000005
【図５】
0004074471.tif 000006
【図６】
0004074471.tif 000007
【図７】
0004074471.tif 000008